(57)【要約】【課題】比較的に部品数が少なく、低価格で製造できるとともに、カッター台部と可動ヘッド部との間の互換性や汎用性を配慮する際に好適な構造のロータリーシートカッターを提供することにある。【解決手段】台板本体１の直線状の一端縁部２の上面に沿って平行にリニアガイド溝部３を備えた水平カッター台板Ａと、該台板Ａの直線状の一端縁部２に沿って水平に直線移動可能に嵌合可能なコの字型の嵌合部１１と垂直方向のカッター装填部１２とを備えた可動ホルダー部Ｂと、ロータリーカッター刃２１を支軸部２２にて自由回転可能に軸支し、該カッター刃２１の下部外周のうち最下部外周と対向する刃受部２３を備え、前記可動ホルダー部Ｂのカッター装填部１２内に嵌入可能なロータリーカッター部Ｃとにより構成される。【選択図】図１
2004306167.tif 000002
【特許請求の範囲】
【請求項１】
台板本体の直線状の一端縁部の上面に沿って平行にリニアガイド溝部を備えた水平カッター台板Ａと、該台板Ａの直線状の一端縁部に沿って水平に直線移動可能に嵌合可能なコの字型の嵌合部と垂直方向のカッター装填部とを備えた可動ホルダー部Ｂと、ロータリーカッター刃を支軸部にて自由回転可能に軸支し、該カッター刃の下部外周のうち最下部外周と対向する円弧状刃受部を備え、前記可動ホルダー部Ｂのカッター装填部内に嵌入可能なロータリーカッター部Ｃとにより構成され、前記水平カッター台板Ａの直線状の一端縁部に前記可動ホルダー部Ｂの嵌合部に嵌合した後、該ロータリーカッター部Ｃを可動ホルダー部Ｂのカッター装填部内に垂直方向に嵌入して円弧状刃受部を前記台板Ａのリニアガイド溝部内に嵌入装着したことを特徴とするロータリーシートカッター。
【発明の詳細な説明】
【０００１】
【発明の属する技術分野】
本発明は、紙製シートや樹脂シートや樹脂フィルムを直線状に裁断するためのロータリーシートカッターに関する。
【０００２】
【従来の技術】
従来のロータリーシートカッターとしては、カッター台部の上方に、その台部の幅方向の両端部より立ち上げて跨ぐブリッジ状の架設フレームを設け、該架設フレームに設けたリニアガイドレールに沿って移動可能な可動ヘッド部を設け、該可動ヘッド部に回転可能に軸支したロータリーカッター刃を設け、該ロータリーカッター刃をカッター台に設けた刃受部に周接させた構造のロータリーシートカッターがある。
【０００３】
従来の上記シートカッターは、可動ヘッド部をリニアガイドレールに沿って何れか一端側に移動させ、ロータリーカッター刃を断裁位置から一端側に回避させた後、カッター台に設けた刃受部上にシートを載せて固定する。その後、可動ヘッド部をリニアガイドレールに沿って他端側に移動させ、ロータリーカッター刃を刃受部に対して周接回転させながら、ロータリーカッター刃と刃受部との間でシートを直線状に断裁するものである。
【０００４】
上記従来のロータリーシートカッターは、カッター台部の上方にブリッジ状の架設フレームとリニアガイドレールを設け、そのリニアガイドレールに可動ヘッド部を取り付ける必要があるため、ロータリーシートカッターのカッター台部と架設フレームと可動ヘッドの構造が複雑になって比較的に部品数が多く必要になり、そのために高価な構造になり易く、またカッター台部と可動ヘッド部との間の互換性や汎用性を配慮する際にも不向きな構造となっていた。
【０００５】
【発明が解決しようとする課題】
本発明は、比較的に部品数が少なく、低価格で製造できるとともに、カッター台部と可動ヘッド部との間の互換性や汎用性を配慮する際に好適な構造のロータリーシートカッターを提供することにある。
【０００６】
【課題を解決するための手段】
本発明は、台板本体１の直線状の一端縁部２の上面に沿って平行にリニアガイド溝部３を備えた水平カッター台板Ａと、該台板Ａの直線状の一端縁部２に沿って水平に直線移動可能に嵌合可能なコの字型の嵌合部１１と垂直方向のカッター装填部１２とを備えた可動ホルダー部Ｂと、ロータリーカッター刃２１を支軸部２２にて自由回転可能に軸支し、該カッター刃２１の下部外周のうち最下部外周と対向する刃受部２３を備え、前記可動ホルダー部Ｂのカッター装填部１２内に嵌入可能なロータリーカッター部Ｃとにより構成され、前記水平カッター台板Ａの直線状の一端縁部２に前記可動ホルダー部Ｂの嵌合部１１に嵌合した後、該ロータリーカッター部Ｃを可動ホルダー部Ｂのカッター装填部１２内に垂直方向に嵌入して刃受部２３を前記台板Ａのリニアガイド溝部３内に嵌入装着したことを特徴とするロータリーシートカッターである。
【０００７】
【発明の実施の形態】
本発明のロータリーシートカッターを、その実施の形態について以下に詳細に説明する。
【０００８】
図１は、本発明のロータリーシートカッターの正面断面図であり、Ａは、水平な台板本体１の直線状の一端縁部２の上面に沿って平行にリニアガイド溝部３を備えた水平カッター台板、Ｂは、該台板Ａの直線状の一端縁部２に沿って水平に直線移動可能に嵌合可能なコの字型の嵌合部１１と垂直方向のカッター装填部１２とを備えた可動ホルダー部、Ｃは、ロータリーカッター刃２１を支軸部２２にて自由回転可能に軸支し、該カッター刃２１の下部外周のうち最下部外周と対向する刃受部２３を備え、前記可動ホルダー部Ｂのカッター装填部１２内に嵌入可能なロータリーカッター部である。
【０００９】
図１及び図２の組み立て斜視図及び図３の組み立て完成斜視図に示すように、水平カッター台板Ａの直線状の一端縁部２には、可動ホルダー部Ｂのコの字型の嵌合部１１を嵌入でき、該可動ホルダー部Ｂを嵌入した際には、垂直方向のカッター装填部１２の下部は、台板本体１の直線状の一端縁部２の上面に沿って平行に設けたリニアガイド溝部３の真上に整合できるようになっている。
【００１０】
水平カッター台板Ａの一端縁部２に可動ホルダー部Ｂを嵌入した後は、ロータリーカッター部Ｃを可動ホルダー部Ｂの上方から垂直方向のカッター装填部１２内に落とし込むようにして装填するとともに、カッター装填部１２下部より下方に突出するロータリーカッター部Ｃの刃受部２３を、カッター装填部１２下部と整合する台板Ａのリニアガイド溝部３内に嵌合する。これにより可動ホルダー部Ｂは、水平カッター台板Ａの一端縁部２より外側に離脱せずに、台板Ａのリニアガイド溝部３に沿って直線状（図１の表裏方向、図３の水平矢印方向）に移動可能となる。
【００１１】
可動ホルダー部Ｂは、コの字型の嵌合部１１とカッター装填部１２とを備え、コの字型の嵌合部１１は、図２の組み立て斜視図及び図４の正面図に示すように、上面板１１ａ、側面板１１ｂ、下面板１１ｃにより構成され、カッター装填部１２は、図２の組み立て斜視図及び図４の正面図に示すように、上面板１１ａの上部に連設した対向する前側面フレーム板１２ａ、後面フレーム板１２ｂ、後側面フレーム板１２ｃ、前面フレーム板１２ｄにより構成され、前側面フレーム板１２ａには、その上端より下部に亘ってロータリーカッター部Ｃの支軸部２２のハンドル部２５を嵌入可能な切欠部１３が設けられている。
【００１２】
また、可動ホルダー部Ｂのコの字型の嵌合部１１を構成する後側面フレーム板１２ｃの下端部には、シート裁断後に後側面フレーム板１２ｃの背面側に分離されるシートＳを通過させる空間部１２ｅが設けられ、また、該後側面フレーム板１２ｃの外面（後面）には、必要に応じてフレーム板補強用の補強板１４（複数枚のフィン）が取り付けられている。
【００１３】
ロータリーカッター部Ｃは、図５（ａ）の正面図及び図５（ｂ）の側面図に示すように、ロータリーカッター刃２１と、該ロータリーカッター刃２１を自由回転可能に軸支する支軸部２２を軸受けする前軸受板２６と、後面板２７と、後軸受板２８と、前面板２９と、上面板３０とを備え、後軸受板２８の下部には刃受部２３を備えている。なお、前軸受板２６と後軸受板２８とによる支軸部２２の軸受方式は本発明においては特に限定されるものではないが、例えば支軸部２２先端部はネジ切りされていて、後軸受板２８側に設けたネジ孔に螺着する方式でもよい。
【００１４】
図５（ｂ）に示すように、刃受部２３の上面は、上向きの傾斜面２３ａと水平面２３ｂと円弧面２４と水平面２３ｃとにより構成される連続面、又は上向きの傾斜面２３ａと円弧面２４と水平面２３ｃとにより構成される連続面となっていて、ロータリーカッター刃２１と、それに対向する円弧面２４とは、微細クリアランスを以て対向しているか又は周接して対向している。
【００１５】
前記刃受部２３の上面連続面と、前軸受板２６下端部（少なくとも後面板２７側の前軸受板２６下端部）との間には、裁断されるシートＳが水平に通過可能な間隙Ｄが形成されており、該前軸受板２６と対向する後軸受板２８の後面板２７側の下端には、後面板２７下端相当部から円弧面２４の始端部に向かう下向きの傾斜面２８ａを備えている。
【００１６】
図５（ｂ）に示すように、また円弧面２４の始端部に下向きに傾斜して向かう前記傾斜面２８ａの下端面から後軸受板２８の背面側に向かって水平方向に斜めに、裁断において後軸受板２８の背面側に分離される裁断後のシートＳをガイドするガイド溝２８ｂが設けられている。
【００１７】
本発明のロータリーカッターを構成するカッター台部Ａ、可動ホルダー部Ｂ、ロータリーカッター部Ｃの各々構造体全体に使用する材料又はその各々構造体の一部の構造部に使用する材料は、プラスチック、金属、セラミックのいずれでもよく、使い易さを考慮して軽量化するためにはプラスチック成形品を用いることが適当である。
【００１８】
本発明のロータリーカッターの使用方法を以下に説明すれば、図３に示すように、まず、カッター台部Ａ上にシートＳ（例えば、紙製シート、プラスチックフィルムなど）を供給して載置し、そのシートＳ上面を適宜押圧手段により押圧して固定した後、ロータリーカッターのロータリーカッター部Ｃを装填した可動ホルダー部Ｂを手で把握してリニアガイド溝部３に沿って実線矢印方向に直線移動させて、図３及び図５（ａ）〜（ｂ）に示すようにシートＳの一端縁Ｓ１  をロータリーカッター刃２１の周端と刃受部２３との間に導入する。
【００１９】
ここで、可動ホルダー部Ｂのコの字型の嵌合部１１を構成する後側面フレーム板１２ｃの下端部とカーッター台部Ａとの間には、図１に示すようにシート裁断後に後側面フレーム板１２ｃの背面側に分離されるシートＳを通過させる空間部１２ｅが設けられている。
【００２０】
また、ロータリーカッター部Ｃの前記刃受部２３の上面連続面と、前軸受板２６下端部（少なくとも後面板２７側の前軸受板２６下端部）との間には、図５（ａ）〜（ｂ）に示すように裁断されるシートＳが水平に通過可能な間隙Ｄが形成されており、該前軸受板２６と対向する後軸受板２８の後面板２７側の下端には、後面板２７下端相当部から円弧面２４の始端部に向かう下向きの傾斜面２８ａを備え、円弧面２４の始端部に下向きに傾斜して向かう前記傾斜面２８ａの下端面から後軸受板２８の背面側に向かって水平方向に斜めに、裁断において後軸受板２８の背面側に分離される裁断後のシートＳをガイドするガイド溝２８ｂが設けられている。
【００２１】
図３、図５（ｂ）に示すように、ロータリーカッター刃２１の周端と刃受部２３との間にシートＳの一端縁Ｓ１  を導入した後は、ロータリーカッターの可動ホルダー部Ｂをさらに実線矢印方向に直線移動させることにより、ロータリーカッター刃２１がシートＳの一端縁Ｓ１  と接触し、カッター刃２１と一端縁Ｓ１  との接触界面における摩擦力により、カッター刃２１がシートＳの一端縁Ｓ１  上で回転して、シートＳ一端縁Ｓ１  の裁断を開始する。
【００２２】
さらに、可動ホルダー部Ｂを継続して実線矢印方向に直線移動させながら、シートＳ面上にてカッター刃２１を回転させ、他端縁Ｓ２  まで移動させることにより、シートＳを一端縁Ｓ１  から他端縁Ｓ２  まで直線状に裁断することができる。
【００２３】
上記本発明のロータリーカッターは、枚葉シート状、長尺状（巻取ウエブロール状）のいずれのシートＳでも、簡単に組み立てて裁断でき、台板１の直線状の一端部２に沿ってリニアガイド溝部３が形成された簡単なカッター台部Ａを、枚葉シートＳの供給台の一端部又は長尺状シートＳの巻き出し供給台の一端部に、水平に取り付け配置するだけで、可動ホルダー部Ｂの嵌合部１１をカッター台部Ａにおける台板１の直線状の一端部２に水平方向に嵌合し、続いてロータリーカッター部Ｃを上方より落とし込むようにして装填して、リニアガイド溝部３内にロータリーカッター部Ｃの刃受部２３を嵌着することにより、直線移動によりシート裁断可能なロータリーカッターとして組み立てることができ、容易にシート裁断することができる。
【００２４】
【発明の効果】
本発明のロータリーカッターは、台板の直線状の一端部に沿ってリニアガイド溝部が形成されただけの簡単なカッター台部を使用するので、カッター台部は、枚葉シートの供給台の一端部又は長尺状シートの巻き出し供給台の一端部に簡単に水平に取り付け配置することができ、可動ホルダー部の嵌合部を、そのカッター台部における台板の直線状の一端部に水平方向に嵌合し、続いてロータリーカッター部を装填してリニアガイド溝部内にロータリーカッター部の刃受部を嵌着することにより、直線移動によりシート裁断可能なロータリーカッターとして組み立てることができ、枚葉シート状、長尺状（巻取ウエブロール状）のいずれのシートでも、組み立てて裁断でき、紙製シートや樹脂シートや樹脂フィルム、あるいはそれらの積層された複合シートを容易に裁断することができる。
【００２５】
また本発明のロータリーカッターは、比較的に部品数が少なく、低価格で製造できるとともに、比較的に部品数が少なく、低価格で製造できるとともに、枚葉シートや長尺シートなどの各種シート供給手段や巻出手段の後段に、リニアガイド溝部が形成されただけの簡単なカッター台部を取り付けて使用でき、カッター台部に対する可動ホルダー部とロータリーカッター部との間の互換性や、汎用性を配慮した好適な構造のロータリーシートカッターを提供することができる。
【図面の簡単な説明】
【図１】本発明のロータリーカッターの正面断面図。
【図２】本発明のロータリーカッターの組み立て斜視図。
【図３】本発明のロータリーカッターの組み立て完成斜視図。
【図４】本発明のロータリーカッターにおける可動ホルダー部の正面図。
【図５】（ａ）は本発明のロータリーカッターにおけるロータリーカッター部の正面図、（ｂ）はその側面図。
【符号の説明】
Ａ…カッター台部  Ｂ…可動ホルダー部  Ｃ…ロータリーカッター部
１…台板  ２…直線状の一端部  ３…リニアガイド溝部
１１…嵌合部  １２…カッター装填部  １２ｅ…空間部  １３…切欠部
１４…補強板
２１…ロータリーカッター刃  ２２…支軸部  ２３…刃受部  ２４…円弧面
２５…支軸ハンドル  ２６…前軸受板２６  ２７…後面板  ２８…後軸受板
２８ａ…後軸受板の下端部  ２８ｂ…ガイド溝  ２９…前面板  ３０…上面板
【図１】
2004306167.tif 000003
【図２】
2004306167.tif 000004
【図３】
2004306167.tif 000005
【図４】
2004306167.tif 000006
【図５】
2004306167.tif 000007